(57)【要約】【課題】歩行中の危険性または鉄道駅の改札口通過不可状態を事前検出し、携帯電話端末の使用状態に応じた警告を発出する仕組みを提供する。【解決手段】光ビーコン装置２００に接近した際に携帯電話端末１００の使用状態の通知要求信号を光ビーコン装置２００から受信し、制御部１０３はその使用状態を光ビーコン送受信部１０２から要求元の光ビーコン装置２００へ返送すると、携帯電話端末１００の使用状態に応じて警告信号が光ビーコン装置２００から送信される。制御部１０３は、例えば、テレビ電話中であった場合表示部１０４を点滅させると共に警告情報をテロップとして表示させるなど、現在の使用状態に応じた警告動作を行う。歩行中に注意すべき場所の近傍に配置した光ビーコン装置は、携帯電話端末が待受け状態以外にあれば警告信号を送信し、鉄道駅の改札口の近傍に配置した光ビーコン装置は、該鉄道駅名と初乗り乗車運賃とを含む警告情報を送信する。【選択図】        図１
2007235561.tif 000002
【特許請求の範囲】
【請求項１】
ユーザが携帯する携帯電話端末において、光ビーコン装置との間で、光ビーコンを用いた信号を送受信することが可能な光ビーコン送受信部を備え、前記光ビーコン装置から、当該携帯電話端末の使用状態を通知することを要求する通知要求信号を前記光ビーコン送受信部が受信した場合に、当該携帯電話端末の制御部は、当該携帯電話端末の使用状態を前記光ビーコン送受信部から要求元の前記光ビーコン装置へ返送することを特徴とする携帯電話端末。
【請求項２】
前記光ビーコン装置から、当該携帯電話端末への警告信号を前記光ビーコン送受信部が受信した場合に、前記制御部は、当該携帯電話端末の使用状態に応じた警告動作を行わせるように制御することを特徴とする請求項１に記載の携帯電話端末。
【請求項３】
前記制御部が制御する前記警告動作として、当該携帯電話端末の使用状態がテレビ電話中であった場合は、当該携帯電話端末の表示部を点滅させると共に、警告すべき状況が発生していることを示す情報をテロップとして表示することを特徴とする請求項２に記載の携帯電話端末。
【請求項４】
前記制御部が制御する前記警告動作として、当該携帯電話端末の使用状態が通話中であった場合は、警告すべき状況が発生していることを示すために、当該携帯電話端末のバイブレータを駆動して、当該携帯電話端末を振動させることを特徴とする請求項２に記載の携帯電話端末。
【請求項５】
前記制御部が制御する前記警告動作として、当該携帯電話端末の使用状態がメール作成中であった場合は、当該携帯電話端末の表示部に警告すべき状況が発生していることを示す情報をポップアップ表示すると共に、作成中のメールを保存した後、強制的にメールを終了させることを特徴とする請求項２に記載の携帯電話端末。
【請求項６】
前記制御部が制御する前記警告動作として、当該携帯電話端末の使用状態がインターネットのＷｅｂサーバと接続中であった場合は、当該携帯電話端末の表示部に警告すべき状況が発生していることを示す情報をポップアップ表示すると共に、強制的にＷｅｂサーバとの接続を終了させることを特徴とする請求項２に記載の携帯電話端末。
【請求項７】
前記制御部が制御する前記警告動作として、当該携帯電話端末の使用状態が当該携帯電話端末の設定動作中であった場合は、当該携帯電話端末の表示部に警告すべき状況が発生していることを示す情報をポップアップ表示すると共に、強制的に設定中の動作を終了させることを特徴とする請求項２に記載の携帯電話端末。
【請求項８】
前記光ビーコン装置が、当該携帯電話端末を携帯するユーザが歩行中において、階段、建物のドアに代表されるような注意を喚起すべき場所の近傍に配置されており、当該携帯電話端末を携帯するユーザが注意を喚起すべき場所に接近した際に、前記光ビーコン装置から、当該携帯電話端末の前記光ビーコン送受信部が受信する警告信号が、注意を喚起すべき場所に差し掛かっている旨を事前に警告するものであり、前記制御部は、警告すべき状況が発生していることを示す情報として、注意を喚起すべき場所に差し掛かっている旨を示す警告動作を行わせることを特徴とする請求項１乃至７のいずれかに記載の携帯電話端末。
【請求項９】
前記光ビーコン装置が、鉄道駅の改札口の近傍に配置されており、当該携帯電話端末を携帯するユーザが前記改札口に接近した際に、前記光ビーコン装置から、当該携帯電話端末の前記光ビーコン送受信部が受信する警告信号が、当該ビーコン装置が設置されている鉄道駅名と初乗り乗車運賃とを少なくとも含む情報であることを特徴とする請求項１乃至７のいずれかに記載の携帯電話端末。
【請求項１０】
前記光ビーコン装置からの前記警告信号を前記光ビーコン送受信部にて受信した場合、前記制御部は、当該携帯電話端末に装着されている非接触型ＩＣに記録の鉄道乗車券情報を読み取って、前記鉄道乗車券情報の定期券の区間として、前記警告信号に含まれていた鉄道駅名を含む区間か否かを確認し、含む区間の場合は、該定期券が有効な期限内か否かを確認し、有効な期限内ではなかった場合、あるいは、該定期券の区間に含まれない区間であった場合には、さらに、前記乗車券情報の乗車券残高が、前記警告信号に含まれていた初乗り乗車運賃以上であるか否かを確認し、前記乗車券情報の定期券として前記警告信号に含まれていた鉄道駅名に含まれない区間、あるいは、有効な期限内ではなかったかのいずれかの場合であり、かつ、前記乗車券情報の乗車券残高が、前記警告信号に含まれていた初乗り乗車運賃未満であった場合には、当該携帯電話端末の使用状態に応じた警告動作を行わせるように制御することを特徴とする請求項９に記載の携帯電話端末。
【請求項１１】
前記制御部は、前記携帯電話端末の使用状態に応じた警告動作を行わせた後、前記警告動作の原因を解除するアプリケーションの操作画面を表示部に表示することを特徴とする請求項１０に記載の携帯電話端末。
【請求項１２】
光ビーコン信号を送受信する光ビーコン装置において、当該光ビーコン装置の近傍に接近した携帯電話端末に対して、該携帯電話端末の使用状態を通知することを要求する通知要求信号を、光ビーコンを用いた信号として送信し、該通知要求信号に対応して前記携帯電話端末から送信されてくる使用状態を受信することを特徴とする光ビーコン装置。
【請求項１３】
歩行中のユーザが注意を喚起すべき場所の近傍に配置されている光ビーコン装置であって、かつ、前記通知要求信号に対応して、前記携帯電話端末から当該携帯電話端末の使用状態が返送されてきた場合に、前記携帯電話端末の使用状態が待受け中の状態であった場合は、当該携帯電話端末への警告信号を送信しないこととし、一方、前記携帯電話端末の使用状態が待受け中以外の状態であった場合は、注意を喚起すべき場所に差し掛かっている旨の警告信号を当該携帯電話端末へ送信することを特徴とする請求項１２に記載の光ビーコン装置。
【請求項１４】
鉄道駅の改札口の近傍に配置されている光ビーコン装置であって、かつ、前記通知要求信号に対応して、前記携帯電話端末から当該携帯電話端末の使用状態が返送されてきた場合に、前記携帯電話端末に対して、当該光ビーコン装置が配置されている鉄道駅名と初乗り乗車運賃とを少なくとも含む警告信号を送信することを特徴とする請求項１２に記載の光ビーコン装置。
【請求項１５】
携帯電話端末を携帯するユーザに対して該携帯電話端末から警告を発出する警告発出方法において、前記携帯電話端末に、光ビーコン装置との間で、光ビーコンを用いた信号を送受信することが可能な光ビーコン送受信部を備え、前記光ビーコン装置から、当該携帯電話端末の使用状態を通知することを要求する通知要求信号を前記光ビーコン送受信部が受信した場合に、当該携帯電話端末の使用状態を要求元の前記光ビーコン装置へ返送することを特徴とする警告発出方法。
【請求項１６】
前記光ビーコン装置から、前記携帯電話端末への警告信号を前記光ビーコン送受信部が受信した場合に、当該携帯電話端末の使用状態に応じた警告動作を行わせるように制御することを特徴とする請求項１５に記載の警告発出方法。
【請求項１７】
前記光ビーコン装置が、前記携帯電話端末を携帯するユーザが歩行中において、階段、建物のドアに代表されるような注意を喚起すべき場所の近傍に配置されており、当該携帯電話端末を携帯するユーザが注意を喚起すべき場所に接近した際に、前記光ビーコン装置から、当該携帯電話端末の前記光ビーコン送受信部が受信する警告信号が、注意を喚起すべき場所に差し掛かっている旨を事前に警告するものであり、前記制御部は、警告すべき状況が発生していることを示す情報として、注意を喚起すべき場所に差し掛かっている旨を示す警告動作を行わせることを特徴とする請求項１５または１６に記載の警告発出方法。
【請求項１８】
前記光ビーコン装置は、前記通知要求信号に対応して、前記携帯電話端末から当該携帯電話端末の使用状態が返送されてきた場合に、前記携帯電話端末の使用状態が待受け中の状態であった場合は、当該携帯電話端末への警告信号を送信しないこととし、一方、前記携帯電話端末の使用状態が待受け中以外の状態であった場合は、当該携帯電話端末への警告信号を送信することを特徴とする請求項１７に記載の警告発出方法。
【請求項１９】
前記光ビーコン装置が、鉄道駅の改札口の近傍に配置されており、前記携帯電話端末を携帯するユーザが前記改札口に接近した際に、前記光ビーコン装置から、当該携帯電話端末の前記光ビーコン送受信部が受信する警告信号が、当該光ビーコン装置が設置されている鉄道駅名と初乗り乗車運賃とを少なくとも含む情報であることを特徴とする請求項１５または１６に記載の警告発出方法。
【請求項２０】
前記光ビーコン装置からの前記警告信号を前記光ビーコン送受信部にて受信した場合、前記携帯電話端末に装着されている非接触型ＩＣに記録の鉄道乗車券情報を読み取って、前記鉄道乗車券情報の定期券の区間として、前記警告信号に含まれていた鉄道駅名を含む区間か否かを確認し、含む区間の場合は、該定期券が有効な期限内か否かを確認し、有効な期限内ではなかった場合、あるいは、該定期券の区間に含まれない区間であった場合には、さらに、前記乗車券情報の乗車券残高が、前記警告信号に含まれていた初乗り乗車運賃以上であるか否かを確認し、前記乗車券情報の定期券として前記警告信号に含まれていた鉄道駅名に含まれない区間、あるいは、有効な期限内ではなかったかのいずれかの場合であり、かつ、前記乗車券情報の乗車券残高が、前記警告信号に含まれていた初乗り乗車運賃未満であった場合には、当該携帯電話端末の使用状態に応じた警告動作を行わせるように制御することを特徴とする請求項１９に記載の警告発出方法。
【請求項２１】
前記携帯電話端末の使用状態に応じた警告動作を行わせた後、前記警告動作の原因を解除するアプリケーションの操作画面を表示部に表示することを特徴とする請求項２０に記載の警告発出方法。
【発明の詳細な説明】
【技術分野】
【０００１】
本発明は、携帯電話端末、光ビーコン装置および警告発出方法に関し、特に、光ビーコン装置からの光ビーコン信号を用いて、歩行中の危険性や鉄道駅の改札口の通過不可能状態などを事前に検出して、携帯電話端末の使用状態に応じた警告を発出する携帯電話端末、光ビーコン装置および警告発出方法に関する。
【背景技術】
【０００２】
従来の携帯電話端末では、歩行中に、携帯電話端末を操作していると、携帯電話端末の画面に注意が集中してしまうために、歩行している周囲の状況を把握できずに、階段などでつまずく等の危険に晒されていた。
【０００３】
このため、特許文献１に示す特開２００５−１３６６９５号公報「携帯情報装置、携帯電話装置および表示制御方法」では、携帯情報装置に周辺を撮影するカメラを搭載し、携帯電話端末を歩行モードに設定した場合、カメラが撮影した映像を表示部のメインウィンドウとは異なる小ウィンドウに表示することによって、ユーザが携帯情報装置の表示部に注力が向いている状態であっても、周囲の状況をユーザが確認できるような技術が提案されている。
【特許文献１】特開２００５−１３６６９５号公報（第１０−１２頁）
【発明の開示】
【発明が解決しようとする課題】
【０００４】
しかしながら、前記特許文献１に記載のような従来技術は、携帯情報装置の使用状態によらず、携帯情報装置の表示部に周囲の状況を表示するものであり、階段やドアなどへの接近時など歩行に危険となる状況が発生した場合にはじめて危険性を警告するというものではないこと、さらに、携帯情報装置の表示部がメインウィンドウと小ウィンドウとの２つの表示領域に分割されてそれぞれが小画面化されてしまい、メインウィンドウでも表示内容が見にくくなることなどの欠点があった。また、この従来技術では、２つのウィンドウに注意が分散してしまうため、小ウィンドウ上にたとえ歩行上の危険があるような画面が表示されたとしても、歩行上の危険性が把握しにくくなること、さらに、ユーザが歩行する際に、携帯電話端末に歩行モードに設定する手間を要するため、モード設定をし忘れるおそれもあること、などの欠点があった。
【０００５】
さらには、歩行中の危険を事前に検知して警告を発出する場合のみに限らず、例えば、鉄道駅の改札口を通過することが可能か否かなどを事前に確認して、通過が不可能な場合には、警告を発出することも可能とするなどの応用分野に対する適用性についても、従来技術では、対応することができないという問題もあった。
【０００６】
本発明は、かかる事情に鑑みてなされたものであり、歩行中の危険性を事前に検出して、あるいは、鉄道駅の改札口の通過の不可能なことを事前に検出して、携帯電話端末の使用状態に応じた警告を発出することが可能な携帯電話端末、光ビーコン装置および警告発出方法を提供することにある。
【課題を解決するための手段】
【０００７】
前述の課題を解決するため、本発明による携帯電話端末、光ビーコン装置および警告発出方法は、次のような特徴的な構成を採用している。
【０００８】
（１）ユーザが携帯する携帯電話端末において、光ビーコン装置との間で、光ビーコンを用いた信号を送受信することが可能な光ビーコン送受信部を備え、前記光ビーコン装置から、当該携帯電話端末の使用状態を通知することを要求する通知要求信号を前記光ビーコン送受信部が受信した場合に、当該携帯電話端末の制御部は、当該携帯電話端末の使用状態を前記光ビーコン送受信部から要求元の前記光ビーコン装置へ返送する携帯電話端末。
（２）前記光ビーコン装置から、当該携帯電話端末への警告信号を前記光ビーコン送受信部が受信した場合に、前記制御部は、当該携帯電話端末の使用状態に応じた警告動作を行わせるように制御する上記（１）の携帯電話端末。
（３）前記制御部が制御する前記警告動作として、当該携帯電話端末の使用状態がテレビ電話中であった場合は、当該携帯電話端末の表示部を点滅させると共に、警告すべき状況が発生していることを示す情報をテロップとして表示する上記（２）の携帯電話端末。
（４）前記制御部が制御する前記警告動作として、当該携帯電話端末の使用状態が通話中であった場合は、警告すべき状況が発生していることを示すために、当該携帯電話端末のバイブレータを駆動して、当該携帯電話端末を振動させる上記（２）の携帯電話端末。
（５）前記制御部が制御する前記警告動作として、当該携帯電話端末の使用状態がメール作成中であった場合は、当該携帯電話端末の表示部に警告すべき状況が発生していることを示す情報をポップアップ表示すると共に、作成中のメールを保存した後、強制的にメールを終了させる上記（２）の携帯電話端末。
（６）前記制御部が制御する前記警告動作として、当該携帯電話端末の使用状態がインターネットのＷｅｂサーバと接続中であった場合は、当該携帯電話端末の表示部に警告すべき状況が発生していることを示す情報をポップアップ表示すると共に、強制的にＷｅｂサーバとの接続を終了させる上記（２）の携帯電話端末。
（７）前記制御部が制御する前記警告動作として、当該携帯電話端末の使用状態が当該携帯電話端末の設定動作中であった場合は、当該携帯電話端末の表示部に警告すべき状況が発生していることを示す情報をポップアップ表示すると共に、強制的に設定中の動作を終了させる上記（２）の携帯電話端末。
（８）前記光ビーコン装置が、当該携帯電話端末を携帯するユーザが歩行中において、階段、建物のドアに代表されるような注意を喚起すべき場所の近傍に配置されており、当該携帯電話端末を携帯するユーザが注意を喚起すべき場所に接近した際に、前記光ビーコン装置から、当該携帯電話端末の前記光ビーコン送受信部が受信する警告信号が、注意を喚起すべき場所に差し掛かっている旨を事前に警告するものであり、前記制御部は、警告すべき状況が発生していることを示す情報として、注意を喚起すべき場所に差し掛かっている旨を示す警告動作を行わせる上記（１）乃至（７）のいずれかの携帯電話端末。
（９）前記光ビーコン装置が、鉄道駅の改札口の近傍に配置されており、当該携帯電話端末を携帯するユーザが前記改札口に接近した際に、前記光ビーコン装置から、当該携帯電話端末の前記光ビーコン送受信部が受信する警告信号が、当該ビーコン装置が設置されている鉄道駅名と初乗り乗車運賃とを少なくとも含む情報である上記（１）乃至（７）のいずれかの携帯電話端末。
（１０）前記光ビーコン装置からの前記警告信号を前記光ビーコン送受信部にて受信した場合、前記制御部は、当該携帯電話端末に装着されている非接触型ＩＣに記録の鉄道乗車券情報を読み取って、前記鉄道乗車券情報の定期券の区間として、前記警告信号に含まれていた鉄道駅名を含む区間か否かを確認し、含む区間の場合は、該定期券が有効な期限内か否かを確認し、有効な期限内ではなかった場合、あるいは、該定期券の区間に含まれない区間であった場合には、さらに、前記乗車券情報の乗車券残高が、前記警告信号に含まれていた初乗り乗車運賃以上であるか否かを確認し、前記乗車券情報の定期券として前記警告信号に含まれていた鉄道駅名に含まれない区間、あるいは、有効な期限内ではなかったかのいずれかの場合であり、かつ、前記乗車券情報の乗車券残高が、前記警告信号に含まれていた初乗り乗車運賃未満であった場合には、当該携帯電話端末の使用状態に応じた警告動作を行わせるように制御する上記（９）の携帯電話端末。
（１１）前記制御部は、前記携帯電話端末の使用状態に応じた警告動作を行わせた後、前記警告動作の原因を解除するアプリケーションの操作画面を表示部に表示する上記（１０）の携帯電話端末。
（１２）光ビーコン信号を送受信する光ビーコン装置において、当該光ビーコン装置の近傍に接近した携帯電話端末に対して、該携帯電話端末の使用状態を通知することを要求する通知要求信号を、光ビーコンを用いた信号として送信し、該通知要求信号に対応して前記携帯電話端末から送信されてくる使用状態を受信する光ビーコン装置。
（１３）歩行中のユーザが注意を喚起すべき場所の近傍に配置されている光ビーコン装置であって、かつ、前記通知要求信号に対応して、前記携帯電話端末から当該携帯電話端末の使用状態が返送されてきた場合に、前記携帯電話端末の使用状態が待受け中の状態であった場合は、当該携帯電話端末への警告信号を送信しないこととし、一方、前記携帯電話端末の使用状態が待受け中以外の状態であった場合は、注意を喚起すべき場所に差し掛かっている旨の警告信号を当該携帯電話端末へ送信する上記（１２）の光ビーコン装置。
（１４）鉄道駅の改札口の近傍に配置されている光ビーコン装置であって、かつ、前記通知要求信号に対応して、前記携帯電話端末から当該携帯電話端末の使用状態が返送されてきた場合に、前記携帯電話端末に対して、当該光ビーコン装置が配置されている鉄道駅名と初乗り乗車運賃とを少なくとも含む警告信号を送信する上記（１２）の光ビーコン装置。
（１５）携帯電話端末を携帯するユーザに対して該携帯電話端末から警告を発出する警告発出方法において、前記携帯電話端末に、光ビーコン装置との間で、光ビーコンを用いた信号を送受信することが可能な光ビーコン送受信部を備え、前記光ビーコン装置から、当該携帯電話端末の使用状態を通知することを要求する通知要求信号を前記光ビーコン送受信部が受信した場合に、当該携帯電話端末の使用状態を要求元の前記光ビーコン装置へ返送する警告発出方法。
（１６）前記光ビーコン装置から、前記携帯電話端末への警告信号を前記光ビーコン送受信部が受信した場合に、当該携帯電話端末の使用状態に応じた警告動作を行わせるように制御する上記（１５）の警告発出方法。
（１７）前記光ビーコン装置が、前記携帯電話端末を携帯するユーザが歩行中において、階段、建物のドアに代表されるような注意を喚起すべき場所の近傍に配置されており、当該携帯電話端末を携帯するユーザが注意を喚起すべき場所に接近した際に、前記光ビーコン装置から、当該携帯電話端末の前記光ビーコン送受信部が受信する警告信号が、注意を喚起すべき場所に差し掛かっている旨を事前に警告するものであり、前記制御部は、警告すべき状況が発生していることを示す情報として、注意を喚起すべき場所に差し掛かっている旨を示す警告動作を行わせる上記（１５）または（１６）の警告発出方法。
（１８）前記光ビーコン装置は、前記通知要求信号に対応して、前記携帯電話端末から当該携帯電話端末の使用状態が返送されてきた場合に、前記携帯電話端末の使用状態が待受け中の状態であった場合は、当該携帯電話端末への警告信号を送信しないこととし、一方、前記携帯電話端末の使用状態が待受け中以外の状態であった場合は、当該携帯電話端末への警告信号を送信する上記（１７）の警告発出方法。
（１９）前記光ビーコン装置が、鉄道駅の改札口の近傍に配置されており、前記携帯電話端末を携帯するユーザが前記改札口に接近した際に、前記光ビーコン装置から、当該携帯電話端末の前記光ビーコン送受信部が受信する警告信号が、当該光ビーコン装置が設置されている鉄道駅名と初乗り乗車運賃とを少なくとも含む情報である上記（１５）または（１６）の警告発出方法。
（２０）前記光ビーコン装置からの前記警告信号を前記光ビーコン送受信部にて受信した場合、前記携帯電話端末に装着されている非接触型ＩＣに記録の鉄道乗車券情報を読み取って、前記鉄道乗車券情報の定期券の区間として、前記警告信号に含まれていた鉄道駅名を含む区間か否かを確認し、含む区間の場合は、該定期券が有効な期限内か否かを確認し、有効な期限内ではなかった場合、あるいは、該定期券の区間に含まれない区間であった場合には、さらに、前記乗車券情報の乗車券残高が、前記警告信号に含まれていた初乗り乗車運賃以上であるか否かを確認し、前記乗車券情報の定期券として前記警告信号に含まれていた鉄道駅名に含まれない区間、あるいは、有効な期限内ではなかったかのいずれかの場合であり、かつ、前記乗車券情報の乗車券残高が、前記警告信号に含まれていた初乗り乗車運賃未満であった場合には、当該携帯電話端末の使用状態に応じた警告動作を行わせるように制御する上記（１９）の警告発出方法。
（２１）前記携帯電話端末の使用状態に応じた警告動作を行わせた後、前記警告動作の原因を解除するアプリケーションの操作画面を表示部に表示する上記（２０）の警告発出方法。
【発明の効果】
【０００９】
本発明の携帯電話端末、光ビーコン装置および警告発出方法によれば、携帯電話端末を携帯するユーザが歩行中に、階段や建物のドア等、ユーザが視覚的に注力しなければ危険となる箇所の近傍に設置された光ビーコン装置の傍を通過すると、当該ユーザの携帯電話端末の使用状態に応じて、注意を促す警告情報を光ビーコン装置より携帯電話端末に送信することを可能としているので、歩行中のユーザに危険を事前に通知することができる。
【００１０】
また、当該ユーザが携帯する携帯電話端末に装着されている非接触型ＩＣに記録している鉄道乗車券情報が、鉄道の改札口を通過できる状態になっていなかった場合に、改札口付近に設置された光ビーコン装置の傍を通過すると、改札口を通過できない旨の警告情報を光ビーコン装置より携帯電話端末に送信することを可能としているので、ユーザがスムーズに改札口を通過することを支援することができる。
【発明を実施するための最良の形態】
【００１１】
以下、本発明による携帯電話端末、光ビーコン装置および警告発出方法の好適実施形態例について添付図を参照して説明する。
【００１２】
図１は、本発明の携帯電話端末の一構成例を示すブロック図であり、光ビーコン装置２００と光ビーコン信号を用いて送受信することが可能な光ビーコン送受信部１０１を備えている。すなわち、図１に示す携帯電話端末１００は、光ビーコン送受信部１０１、光ビーコン管理部１０２、制御部１０３、表示部１０４、バイブレータ１０５、メモリ１０６、非接触型ＩＣ１０７を少なくとも備えて構成されている。なお、携帯電話端末１００には、本来の無線通信ネットワークと通信する通話機能やメール送受信機能やインターネットのＷｅｂサーバとの接続機能などを実現する各種の機能ブロックも存在するが、本発明とは直接関連がないので、ここでは、省略している。
【００１３】
携帯電話端末１００の光ビーコン送受信部１０１は、歩行に注意を要する箇所の近傍に随時配置されている光ビーコン装置２００との間で、光ビーコン信号を送受信するものである。ここで、光ビーコン装置２００は、携帯電話端末１００の携帯者が、歩行に注意を要する箇所に近づいたことを警告信号として、携帯電話端末１００に通知するものであり、携帯電話端末１００の光ビーコン送受信部１０１から返送されてくる携帯電話端末１００の使用状態に応じて、警告信号を携帯電話端末１００に対して発出するものである。
【００１４】
携帯電話端末１００の光ビーコン管理部１０２は、光ビーコン送受信部１０１が受信した光ビーコン信号をデジタル情報に変換して制御部１０３に送信したり、逆に、制御部１０３からのデジタル情報を光ビーコン用の信号形式に変換して光ビーコン送受信部１０１に送信する。制御部１０３は、当該携帯電話端末１００の全体動作を制御するものであり、携帯電話端末１００の使用状態を監視すると共に、光ビーコン装置２００との間の信号の送受信動作も制御している。
【００１５】
表示部１０４は、携帯電話端末１００からユーザに対して各種情報を提供するための液晶パネルを有するものであり、バイブレータ１０５は、ユーザに対する警告として、当該携帯電話端末１００を振動させるバイブレーション信号を出力するものである。また、メモリ１０６は、メール作成やインターネットのＷｅｂサーバとの接続をはじめ各種のアプリケーションや、電話帳などの各種情報を保存・蓄積するためのものである。また、非接触型ＩＣ１０７は、画像情報や、後述する鉄道乗車券情報やキャッシュカードに関する情報などを記録して、当該携帯電話端末１００に適宜装着して記録情報を読み書き可能としている。
【００１６】
次に、図１に示す携帯電話端末１００の動作の一例について、図２乃至図４を用いて説明する。図２は、携帯電話端末１００と光ビーコン装置２００との間の通信を行う一場面を説明するための説明図であり、携帯電話端末１００を携帯するユーザが歩行中に、歩行に注意を要する例えば階段や建物のドアなどに接近した状態にあった場合に、該階段や建物のドアの近傍に配置されている光ビーコン装置２００からの光ビーコン信号を受信する状態を示している。
【００１７】
また、図３は、図２のように、光ビーコン装置２００との通信状態に至った場合に起動される携帯電話端末１００の動作の一例を示すフローチャートであり、携帯電話端末１００の使用状態によって、警告動作を発出するか否かを制御する一例を示している。図４は、警告動作を決定する携帯電話端末１００の使用状態との対応関係の一例を示す対応テーブルである。
【００１８】
図３のフローチャートにおいて、携帯電話端末１００を携帯したユーザが歩行中に、図２に示すような階段２０１やあるいは建物のドア等、歩行上の注意を喚起すべき危険箇所２０１の近傍に設置された光ビーコン装置２００を通過した場合（ステップＳ３０１）、光ビーコン装置２００から携帯電話端末１００に対して当該携帯電話端末１００の使用状態の通知を要求する通知要求信号が送信されてきて、携帯電話端末１００の光ビーコン送受信部１０１にて、該通知要求信号を受信する（ステップＳ３０２）。
【００１９】
受信した該通知要求信号は、光ビーコン管理部１０２にて、制御部１０３が処理可能なデジタル信号に変換されて、制御部１０３に通知される。該通知要求信号を受け取った制御部１０３は、当該携帯電話端末１００の現在の使用状態を確認する（ステップＳ３０３）。当該携帯電話端末１００が待受け状態にあった場合は（ステップＳ３０３の待受け中の場合）、制御部１０３は、光ビーコン管理部１０２を介して、光ビーコン送受信部１０１から、当該携帯電話端末１００が「待受中」の状態にある旨を、光ビーコン装置２００に対して送信する（ステップＳ３０４）。「待受中」の状態の旨を受信した光ビーコン装置２００は、当該携帯電話端末１００のユーザは、携帯電話端末１００の操作等には注力していない状態にあり、歩行上の危険性は少ないものと判定して、当該携帯電話端末１００のユーザに対する警告信号を発出しない。
【００２０】
一方、当該携帯電話端末１００がＴＶ電話中やメール作成中等などの操作中の状態にあって、「待受中」以外の状態にあった場合は（ステップＳ３０３の操作中の場合）、制御部１０３は、光ビーコン管理部１０２を介して、光ビーコン送受信部１０１から、当該携帯電話端末１００が「操作中」の状態にある旨を、光ビーコン装置２００に対して送信する（ステップＳ３０５）。「操作中」の状態の旨を受信した光ビーコン装置２００は、当該携帯電話端末１００のユーザが、携帯電話端末１００の操作等に注力していて、歩行上の危険が発生しているものと判定して、注意を喚起すべき場所に差し掛かっている旨を示すような、歩行上の注意を促す警告信号を、当該携帯電話端末１００に対して送信する。
【００２１】
当該携帯電話端末１００の光ビーコン送受信部１０１にて、該警告信号を受信すると（ステップＳ３０６）、光ビーコン管理部１０２を介して、制御部１０３に通知される。該警告信号を受け取った制御部１０３では、メモリ１０６に保存されている図４に示すような動作対応表４０１を参照して、当該携帯電話端末１００の現在の使用状態に対応した警告動作を検索する（ステップＳ３０７）。ここに、図４の動作対応表４０１には、現在の使用状態に対応して最も適切なユーザに対する警告動作があらかじめ登録されている。
【００２２】
例えば、歩行に注意を向けさせるための警告動作として、次のような警告動作が登録されている。当該携帯電話端末１００の使用状態がＴＶコール中すなわちテレビ電話中の場合は、表示部１０４上の表示を点滅させると共に、テロップによって、警告すべき状況が発生している旨を示す歩行上の警告情報を表示する。また、通話中の場合は、バイブレータ１０５を駆動して、当該携帯電話端末１００を振動動作させる。あるいは、メール作成中の場合は、注意を促すための警告用のポップアップメッセージを表示すると共に、作成中のメールを保存した後、メール作成画面を強制終了させる。また、インターネットのＷｅｂサーバに接続しているウェブ起動中の場合は、注意を促す警告用のポップアップメッセージを表示した後、Ｗｅｂサーバとの接続を終了させ、Ｗｅｂ表示画面を強制終了させる。当該携帯電話端末１００の設定動作中の場合は、注意を促す警告用のポップアップメッセージを表示した後、設定中の動作を終了させ、設定画面を強制終了させる。
【００２３】
図４のような動作対応表４０１を検索した結果に基づいて、制御部１０３は、表示部１０４へのテロップやポップアップメッセージを表示したり、バイブレータ１０５を駆動して当該携帯電話端末１００を振動させたりして、現在の使用状態に適した警告動作を行うことによって、ユーザに対して歩行への注意を促す警告を行う（ステップＳ３０８）。
【００２４】
而して、ユーザが歩行中に携帯電話端末１００を操作していて、画面に注力していた状態であった場合であって、階段や建物のドア等のユーザが視覚的に注力しなければ危険な箇所に接近した際に、このような危険な箇所の近くに設置された光ビーコン装置２００から、当該携帯電話端末１００の使用状態に応じて、歩行への注力を促す警告信号を受信することにより、当該携帯電話端末１００の使用状態に応じた最適の警告通知をユーザに対して行うことができ、ユーザに歩行上の危険を事前に通知することが可能となる。
【００２５】
なお、前述の図３に示す実施形態においては、光ビーコン装置２００から通知要求信号を受信して、当該携帯電話端末１００の使用状態を光ビーコン装置２００に返送した後、光ビーコン装置２００から警告信号を受け取るような例を示したが、場合によっては、光ビーコン装置２００から通知要求信号を受け取った時点で、直ちに、警告信号を受け取ったものとみなして、制御部１０３において、警告動作を起動すべき使用状態にあるか否かを判定して、例えば、待受け中以外の操作中の状態にあった場合には、光ビーコン装置２００を介することなく、使用状態に応じた警告動作を直ちに行うようにしても良い。
【００２６】
（他の実施例）
次に、本発明の他の実施例について、図５に示すフローチャートを用いて説明する。本実施例における携帯電話端末１００を携帯するユーザへの警告動作は、図１に示す携帯電話端末１００に装着した非接触型ＩＣ１０７に記録されている鉄道乗車券情報に基づいて起動される場合の例を示すものであり、鉄道乗車券機能を有する携帯電話端末１００において、鉄道の改札口で乗車券登録状況を確認して、必要に応じて、警告を行う場合について説明するものである。すなわち、本発明は、鉄道の改札口で非接触型ＩＣ１０７に記録の鉄道乗車券登録状況を確認して、改札口の通過を可能とする登録状況を確認することができない場合に、ユーザに対して警告を発出する動作にも応用することができる例を示している。図５は、鉄道の改札口通過のための鉄道乗車券機能の現在の状態を確認し、警告を発出する動作を説明するためのフローチャートである。
【００２７】
図５のフローチャートにおいて、携帯電話端末１００を携帯したユーザが、鉄道の改札口の近傍に設置されている光ビーコン装置２００を通過した場合 (ステップＳ５０１）、光ビーコン装置２００から携帯電話端末１００に対して駅名と初乗り乗車運賃（初乗り料金）との情報を少なくとも含む警告信号が送信されてくるので、携帯電話端末１００の光ビーコン送受信部１０１にて、該警告信号を受信する（ステップＳ５０２）。
【００２８】
受信した該警告信号は、光ビーコン管理部１０２にて、制御部１０３が処理可能なデジタル信号に変換されて、制御部１０３に通知される。該警告信号を受け取った制御部１０３は、非接触型ＩＣ１０７に記録されている鉄道乗車券情報内の定期券情報の区間が、受信した乗車駅名を含む区間であるか否かを確認する（ステップＳ５０３）。当該定期券情報の区間が、当該駅を含む区間であった場合は（ステップＳ５０３のＹＥＳ）、次に、制御部１０３は、当該定期券情報が、有効期限内であるか否かを確認する(ステップＳ５０４)。
【００２９】
当該定期券情報が、有効な期限内であった場合は（ステップＳ５０４のＹＥＳ)、制御部１０３は、警告動作を起動しない。あるいは、光ビーコン装置２００から最終的な警告信号を受け取るようにする場合には、定期券情報が、有効期限内である旨を、光ビーコン管理部１０２を介して、光ビーコン送受信部１０１から、光ビーコン装置２００に対して送信する。当該携帯電話端末１００の定期券情報が、乗車駅を含む区間であり、かつ、有効期限内である旨の通知を受け取った光ビーコン装置２００は、当該携帯電話端末１００が、当該駅の改札口を通過可能であるものと判定して、当該携帯電話端末１００のユーザに対する最終的な警告信号を発出しない。
【００３０】
一方、当該定期券情報が、有効な期限内ではなかった場合（ステップＳ５０４のＮＯ)、あるいは、当該定期情報が、当該駅を含む区間ではなかった場合は（ステップＳ５０３のＮＯ）、制御部１０３は非接触型ＩＣ１０７に記録されている、鉄道乗車券の残高が、光ビーコン装置２００から受信した初乗り乗車運賃（初乗り料金）以上残っているか否かを確認する（ステップＳ５０６）。充分な残高が残っていた場合は（ステップＳ５０６のＹＥＳ）、制御部１０３は、警告動作を起動しない。
【００３１】
あるいは、当該定期券情報が、有効期限内ではなかった場合（ステップＳ５０４のＮＯ)、あるいは、当該定期券情報が、当該駅を含む区間ではなかった場合に（ステップＳ５０３のＮＯ）、光ビーコン装置２００から最終的な警告信号を受け取るようにする場合には、当該携帯電話端末１００の定期券情報が、乗車駅を含む区間ではないか、あるいは、有効期限内でなかったものの、非接触型ＩＣ１０７の鉄道乗車券の残高が初乗り乗車運賃（初乗り料金）以上残っている旨を、光ビーコン管理部１０２を介して、光ビーコン送受信部１０１から、光ビーコン装置２００に対して送信する。その旨の通知を受け取った受信した光ビーコン装置２００は、当該携帯電話端末１００が、当該駅の改札口を通過可能であるものと判定して、当該携帯電話端末１００のユーザに対する最終的な警告信号を発出しない。
【００３２】
一方、残高が初乗り乗車運賃（初乗り料金）未満であり、初乗り乗車運賃以上には残っていなかった場合は（ステップＳ５０５のＮＯ）、制御部１０３では、メモリ１０６に保存されている図４に前述したような動作対応表４０１を参照して、当該携帯電話端末１００の現在の使用状態に対応した警告動作を検索する（ステップＳ５０６）。なお、この実施形態の場合は、前述した実施形態とは異なり、歩行上の注意を促す警告ではなく、改札口が通過できない旨を示す警告となる。
【００３３】
あるいは、残高が初乗り乗車運賃以上には残っていなかった場合に（ステップＳ５０５のＮＯ）、光ビーコン装置２００から最終的な警告信号を受け取るようにする場合には、当該携帯電話端末１００の定期券情報が、乗車駅を含む区間ではないか、あるいは、有効期限内ではないにも関わらず、鉄道乗車券の残高として初乗り乗車運賃以上の残高が残っていない旨を、光ビーコン管理部１０２を介して、光ビーコン送受信部１０１から、光ビーコン装置２００に対して送信する。その旨の通知を受け取った光ビーコン装置２００は、当該携帯電話端末１００が、当該駅の改札口を通過することができないものと判定して、当該携帯電話端末１００のユーザに対して改札口を通過できない旨の注意を促す最終的な警告信号を、当該携帯電話端末１００に対して送信する。当該携帯電話端末１００の光ビーコン送受信部１０１にて、該最終的な警告信号を受信すると、光ビーコン管理部１０２を介して、制御部１０３に通知される。該最終的な警告信号を受け取った制御部１０３では、メモリ１０６に保存されている図４に前述したような動作対応表４０１を参照して、当該携帯電話端末１００の現在の使用状態に対応した警告動作を検索する（ステップＳ５０６）。
【００３４】
図４のような動作対応表４０１を検索した結果に基づいて、制御部１０３は、表示部１０４へのテロップやポップアップメッセージを表示したり、バイブレータ１０５を駆動して当該携帯電話端末１００を振動させたりして、現在の使用状態に適した警告動作を行うことによって、ユーザに対して改札口を通過できない旨を示す警告を行う（ステップＳ５０７）。なお、本実施形態の場合は、携帯電話端末１００が待受け中の状態にあった場合でも、バイブレータ１０５を駆動して携帯電話端末１００を振動させると共に、表示部１０４に警告用のメッセージ表示させるようにして、警告することができる。
【００３５】
しかる後、制御部１０３は、警告動作の原因を解除するためのアプリケーションの操作画面を表示部１０４に表示する。例えば、非接触型ＩＣ１０７の鉄道乗車券の残高を追加させるために、制御部１０３からメモリ１０６に保存されている課金アプリケーションを起動させて、表示部１０４に、残高追加用の操作画面を表示する(ステップＳ５０８)。あるいは、非接触型ＩＣ１０７の鉄道乗車券機能としての定期券の有効期限を延長するかあるいは利用区間を変更する手続きを行う定期券アプリケーションに切り替えて画面表示させることができる。
【００３６】
而して、ユーザは、鉄道駅の改札口の近くに設置された光ビーコン装置２００から、当該携帯電話端末１００の非接触型ＩＣ１０７の鉄道乗車券の現在の状態に応じて、当該駅の改札口を通過不可能な旨を示す警告情報を事前に受信することにより、当該携帯電話端末１００の使用状態に応じた最適の警告通知を受け取ることができ、ユーザは非接触型ＩＣ１０７の鉄道乗車券を改札口が通過可能な状態に記録し直す動作を事前に行うことが可能となる。
【００３７】
なお、図５に示すような本実施形態においても、光ビーコン装置２００から通知要求信号を受信して、当該携帯電話端末１００の使用状態を光ビーコン装置２００に返送した後、光ビーコン装置２００から乗車駅名と初乗り乗車運賃を少なくとも含む警告信号を受け取るようにしても良いし、場合によっては、光ビーコン装置２００から、直ちに、乗車駅名と初乗り乗車運賃を少なくとも含む警告信号を警告信号を受け取って、制御部１０３において、警告動作を起動すべき使用状態にあるか否かを判定して、例えば、改札口を通過できない状態にあった場合には、光ビーコン装置２００を介することなく、使用状態に応じた警告動作を直ちに行うようにしても良い。
【００３８】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００３９】
【図１】本発明の携帯電話端末の一構成例を示すブロック図である。
【図２】携帯電話端末と光ビーコン装置との間の通信を行う一場面を説明するための説明図である。
【図３】光ビーコン装置との通信状態に至った場合に起動される携帯電話端末の動作の一例を示すフローチャートである。
【図４】警告動作を決定する携帯電話端末の使用状態との対応関係の一例を示す対応テーブルである。
【図５】鉄道の改札口通過のための鉄道乗車券機能の現在の状態を確認し、警告を発出する動作を説明するためのフローチャートである。
【符号の説明】
【００４０】
１００    携帯電話端末
１０１    光ビーコン送受信部
１０２    光ビーコン管理部
１０３    制御部
１０４    表示部
１０５    バイブレータ
１０６    メモリ
１０７    非接触型ＩＣ
２００    光ビーコン装置
【図１】
2007235561.tif 000003
【図２】
2007235561.tif 000004
【図３】
2007235561.tif 000005
【図４】
2007235561.tif 000006
【図５】
2007235561.tif 000007